(57)【特許請求の範囲】
【請求項１】
無段調整可能な円錐形ディスク式巻掛け伝動装置を制御するためのハイドロリックシステムであって、巻掛け手段によって巻き掛けられた２つの円錐形ディスク対（１，２）が設けられており、両円錐形ディスク対（１，２）が、それぞれ２つの円錐形ディスク（３，４；５，６）を有しており、両円錐形ディスク（３，４；５，６）のうち、一方の円錐形ディスク（４，６）が、所属の圧着チャンバ（３１，３２）内の圧力に関連して軸方向に移動可能であり、さらに、トルクフィーラ（１０）が設けられており、該トルクフィーラ（１０）が、トルクフィーラチャンバ（１４）を有しており、該トルクフィーラチャンバ（１４）が、ハイドロリック式のエネルギ源に接続されていて、圧着チャンバ（３１，３２）に接続されている形式のものにおいて、
圧着チャンバ（３１，３２）が、第１のハイドロリック式の抵抗エレメント（２８）を介してトルクフィーラチャンバ（１４）に接続されていて、第２のハイドロリック式の抵抗エレメント（３９）を介して付加的な圧力チャンバ（２６）に接続されており、該圧力チャンバ（２６）内に、圧着チャンバ（３１，３２）内の圧力および／またはトルクフィーラチャンバ（１４）内の圧力よりも低い圧力が形成されており、
第１のハイドロリック式の抵抗エレメント（２８）が、調節可能に形成されていて、円錐形ディスク式巻掛け伝動装置の変速比によって制御されるようになっており、
調節可能な第１のハイドロリック式の抵抗エレメント（２８）が、トルクフィーラチャンバ（１４）と、両圧着チャンバ（３１，３２）を互いに接続する接続部（３４）との間に接続されており、
接続部（３４）が、両抵抗エレメント（２８，３９）の間に開口しており、
接続部（３４）の開口と付加的な圧力チャンバ（２６）との間に、調節可能な第２のハイドロリック式の抵抗エレメント（３９）が接続されていることを特徴とする、無段調整可能な円錐形ディスク式巻掛け伝動装置を制御するためのハイドロリックシステム。
【請求項２】
接続部（３４）とハイドロリック式の両抵抗エレメント（２８，３９）との間に圧力制限弁（６５）が接続されている、請求項１記載のハイドロリックシステム。
【請求項３】
圧力制限弁（６５）が、受圧面変換部を有していて、別のハイドロリック式のエネルギ源（６８）に接続されている、請求項１又は２記載のハイドロリックシステム。
【請求項４】
減圧弁（４１）が、付加的な圧力チャンバ（２６）と放圧室（１５）との間に接続されている、請求項１から３までのいずれか１項記載のハイドロリックシステム。
【請求項５】
トルクフィーラチャンバ（１４）内の圧力が、圧着チャンバ（３１，３２）内の圧力の最大の設定量に相当している、請求項１から４までのいずれか１項記載のハイドロリックシステム。
【請求項６】
付加的な圧力チャンバ（２６）内の圧力が、圧着チャンバ（３１，３２）内の圧力の最小の設定量に相当している、請求項１から５までのいずれか１項記載のハイドロリックシステム。
【請求項７】
調節可能な第１のハイドロリック式の抵抗エレメント（２９）もしくは調節可能な第２のハイドロリック式の抵抗エレメント（３９）が、方向制御弁（５０）の少なくとも１つの制御縁部を有している、請求項１から６までのいずれか１項記載のハイドロリックシステム。
【請求項８】
方向制御弁（５０）が、制御圧管路（５５）を介して比例弁（５６）によって制御されている、請求項７項記載のハイドロリックシステム。
【請求項９】
比例弁（５６）が、変速比に関連して制御されている、請求項８記載のハイドロリックシステム。
【請求項１０】
方向制御弁（５０）が、機械的な変換部によって変速比に関連して制御されている、請求項７記載のハイドロリックシステム。
【請求項１１】
ハイドロリック式の抵抗エレメント（２８，３９）が、チョーク絞り、オリフィス絞りまたは制御縁部として形成されている、請求項１から１０までのいずれか１項記載のハイドロリックシステム。
【請求項１２】
付加的な圧力チャンバ（２６）が、放圧室に接続されている、請求項１から１１までのいずれか１項記載のハイドロリックシステム。
【請求項１３】
トルクフィーラ（１０）が、カム機構を有していて、圧力制限弁の原理により、トルクフィーラチャンバ（１４）内に、トルクに比例した圧力を形成するようになっている、請求項１から１２までのいずれか１項記載のハイドロリックシステム。
【請求項１４】
カム機構が、トルクに比例した圧力を形成するために、変速比に依存しないコンスタントな勾配を備えた傾斜路を有している、請求項１から１３までのいずれか１項記載のハイドロリックシステム。
【発明の詳細な説明】
【技術分野】
【０００１】
本発明は、無段調整可能な円錐形ディスク式巻掛け伝動装置を制御するためのハイドロリックシステムであって、巻掛け手段によって巻き掛けられた２つの円錐形ディスク対が設けられており、両円錐形ディスク対が、それぞれ２つの円錐形ディスクを有しており、両円錐形ディスクのうち、一方の円錐形ディスクが、所属の圧着チャンバ内の圧力に関連して軸方向に移動可能であり、さらに、トルクフィーラが設けられており、該トルクフィーラが、トルクフィーラチャンバを有しており、該トルクフィーラチャンバが、ハイドロリック式のエネルギ源に接続されていて、圧着チャンバに接続されている形式のものに関する。
【背景技術】
【０００２】
ドイツ連邦共和国特許出願公開第４２３４２９４号明細書に基づき、トルクフィーラを備えた円錐形ディスク式巻掛け伝動装置が公知である。トルクフィーラは、変速比・モーメント制御される弁として形成されていて、直接トルクを入力側のディスク対から出力側のディスク対に伝達する。国際公開第２００７／１１００２６号パンフレットに基づき、円錐形ディスク式巻掛け伝動装置に用いられるトルク感知装置が公知である。このトルク感知装置は、所定の勾配を備えた傾斜面を有している。勾配は、その最深の箇所からの距離が増加するにつれて、圧着圧とトルクとからの商が、主として、互いに相対的に傾斜面の位置とガイド面の位置とに依存しないように減少する。
【特許文献１】ドイツ連邦共和国特許出願公開第４２３４２９４号明細書
【特許文献２】国際公開第２００７／１１００２６号パンフレット
【発明の開示】
【発明が解決しようとする課題】
【０００３】
本発明の課題は、冒頭で述べた形式のハイドロリックシステムを改良して、軸方向可動の円錐形ディスクの、モーメントおよび変速比に関連した軸方向圧着が最適化されるようにすることである。この場合、圧着チャンバ内の圧着圧が、特に回転数に依存しないことが望ましい。
【課題を解決するための手段】
【０００４】
この課題を解決するために本発明の構成では、無段調整可能な円錐形ディスク式巻掛け伝動装置を制御するためのハイドロリックシステムであって、巻掛け手段によって巻き掛けられた２つの円錐形ディスク対が設けられており、両円錐形ディスク対が、それぞれ２つの円錐形ディスクを有しており、両円錐形ディスクのうち、一方の円錐形ディスクが、所属の圧着チャンバ内の圧力に関連して軸方向に移動可能であり、さらに、トルクフィーラが設けられており、該トルクフィーラが、トルクフィーラチャンバを有しており、該トルクフィーラチャンバが、ハイドロリック式のエネルギ源に接続されていて、圧着チャンバに接続されている形式のものにおいて、圧着チャンバが、第１のハイドロリック式の抵抗エレメントを介してトルクフィーラチャンバに接続されていて、第２のハイドロリック式の抵抗エレメントを介して付加的な圧力チャンバに接続されており、該圧力チャンバ内に、圧着チャンバ内の圧力および／またはトルクフィーラチャンバ内の圧力よりも低い圧力が形成されているようにした。
【０００５】
本発明の有利な構成によれば、少なくとも１つのハイドロリック式の抵抗エレメントが、調節可能に形成されていて、円錐形ディスク式巻掛け伝動装置の変速比によって制御されるようになっている。
【０００６】
本発明の有利な構成によれば、調節可能なハイドロリック式の抵抗エレメントが、トルクフィーラチャンバと、両圧着チャンバを互いに接続する接続部との間に接続されている。
【０００７】
本発明の有利な構成によれば、接続部とハイドロリック式の両抵抗エレメントとの間に圧力制限弁が接続されている。
【０００８】
本発明の有利な構成によれば、圧力制限弁が、受圧面変換部を有していて、別のハイドロリック式のエネルギ源に接続されている。
【０００９】
本発明の有利な構成によれば、接続部が、両抵抗エレメントの間に開口している。
【００１０】
本発明の有利な構成によれば、接続部の開口と付加的な圧力チャンバとの間に、固定式のハイドロリック式の抵抗エレメントが接続されている。
【００１１】
本発明の有利な構成によれば、接続部の開口と付加的な圧力チャンバとの間に、調節可能な別のハイドロリック式の抵抗エレメントが接続されている。
【００１２】
本発明の有利な構成によれば、減圧弁が、付加的な圧力チャンバと放圧室との間に接続されている。
【００１３】
本発明の有利な構成によれば、トルクフィーラチャンバ内の圧力が、圧着チャンバ内の圧力の最大の設定量に相当している。
【００１４】
本発明の有利な構成によれば、付加的な圧力チャンバ内の圧力が、圧着チャンバ内の圧力の最小の設定量に相当している。
【００１５】
本発明の有利な構成によれば、調節可能なハイドロリック式の抵抗エレメントもしくは調節可能なハイドロリック式の抵抗エレメントが、方向制御弁の少なくとも１つの制御縁部を有している。
【００１６】
本発明の有利な構成によれば、方向制御弁が、制御圧管路を介して比例弁によって制御されている。
【００１７】
本発明の有利な構成によれば、比例弁が、変速比に関連して制御されている。
【００１８】
本発明の有利な構成によれば、方向制御弁が、機械的な変換部によって変速比に関連して制御されている。
【００１９】
本発明の有利な構成によれば、１つのハイドロリック式の抵抗エレメントが、トルクフィーラチャンバと付加的な圧力チャンバとの間に接続されている。
【００２０】
本発明の有利な構成によれば、１つのハイドロリック式の抵抗エレメントが、トルクフィーラチャンバと、別のトルクフィーラチャンバもしくは圧着チャンバとの間に接続されている。
【００２１】
本発明の有利な構成によれば、１つのハイドロリック式の抵抗エレメントが、固定式のオリフィス絞りを有しており、該オリフィス絞りが、一方の軸方向固定の円錐形ディスクに組み込まれている。
【００２２】
本発明の有利な構成によれば、１つのハイドロリック式の抵抗エレメントが、可変式のオリフィス絞りを有しており、該オリフィス絞りが、一方の軸方向固定の円錐形ディスクに組み込まれている。
【００２３】
本発明の有利な構成によれば、可変式のオリフィス絞りが、切欠きを有しており、該切欠きが、一方の軸方向固定の円錐形ディスクに設けられており、縦断面図で見て、オリフィス絞り横断面が、所属の円錐形ディスクの軸方向の移動に関連して変化するような勾配を切欠きが有している。
【００２４】
本発明の有利な構成によれば、１つのハイドロリック式の抵抗エレメントが、半径方向に往復運動可能なピストンを備えた可変式のオリフィス絞りを有している。
【００２５】
本発明の有利な構成によれば、ピストンの一方の端部が、斜め面取り部を有しており、該斜め面取り部が、所属の軸方向可動の円錐形ディスクに設けられた斜め面取り部と協働するようになっている。
【００２６】
本発明の有利な構成によれば、ピストンが、制御切欠きを有しており、オリフィス絞り横断面が、所属の円錐形ディスクの軸方向の移動に関連して変化するような勾配を制御切欠きが有している。
【００２７】
本発明の有利な構成によれば、ハイドロリック式の抵抗エレメントが、チョーク絞り、オリフィス絞りまたは制御縁部として形成されている。
【００２８】
本発明の有利な構成によれば、付加的な圧力チャンバが、放圧室に接続されている。
【００２９】
本発明の有利な構成によれば、トルクフィーラが、カム機構を有していて、圧力制限弁の原理により、トルクフィーラチャンバ内に、トルクに比例した圧力を形成するようになっている。
【００３０】
本発明の有利な構成によれば、カム機構が、トルクに比例した圧力を形成するために、変速比に依存しないコンスタントな勾配を備えた傾斜路を有している。
【発明の効果】
【００３１】
本発明によれば、抵抗エレメントによって発生させられた圧力減少によって、トルクフィーラチャンバと付加的な圧力チャンバとの間に体積流が生ぜしめられる。この体積流は、本発明の主要な態様によれば、変速比に関連した圧着圧を圧着チャンバ内に形成するために使用される。ハイドロリック式のエネルギ源は、有利にはポンプである。
【００３２】
ハイドロリックシステムの有利な実施態様は、少なくとも１つのハイドロリック式の抵抗エレメントが、調節可能に形成されていて、円錐形ディスク式巻掛け伝動装置の変速比によって制御されるようになっていることによって特徴付けられている。本発明の主要な態様によれば、調整された変速比に関する圧着チャンバ内の圧着圧が、調節可能なハイドロリック式の抵抗エレメント、特に調節可能なオリフィス絞りによって調節される。トルクフィーラチャンバと付加的な圧力チャンバとの間の全圧力減少は、調節可能なハイドロリック式の抵抗エレメントによって、予め規定された比に分割され、これによって、相応の圧着圧が圧着チャンバ内に形成される。
【００３３】
ハイドロリックシステムの別の有利な実施態様は、調節可能なハイドロリック式の抵抗エレメントが、トルクフィーラチャンバと、両圧着チャンバを互いに接続する接続部との間に接続されていることによって特徴付けられている。調節可能なハイドロリック式の抵抗エレメントを介して、ハイドロリック媒体体積流がトルクフィーラチャンバから圧着チャンバ内に到達する。ハイドロリック媒体体積流は、調節可能なハイドロリック式の抵抗エレメントによって円錐形ディスク式巻掛け伝動装置の変速比に関連して制御される。
【００３４】
ハイドロリックシステムの別の有利な実施態様は、接続部とハイドロリック式の両抵抗エレメントとの間に圧力制限弁が接続されていることによって特徴付けられている。この圧力制限弁は、トルクフィーラチャンバ内の圧力を制限するかもしくは減少させるために働く。
【００３５】
ハイドロリックシステムの別の有利な実施態様は、圧力制限弁が、受圧面変換部を有していて、別のハイドロリック式のエネルギ源に接続されていることによって特徴付けられている。この別のハイドロリック式のエネルギ源、有利には別のポンプと、圧力制限弁の受圧面変換部とを介して、必要となる圧着圧を圧着チャンバ内に形成するための圧力変換が行われる。
【００３６】
ハイドロリックシステムの別の有利な実施態様は、接続部が、両抵抗エレメントの間に開口していることによって特徴付けられている。トルクフィーラチャンバからのハイドロリック媒体体積流は、両抵抗エレメントの間で分岐され、圧着チャンバに供給される。
【００３７】
ハイドロリックシステムの別の有利な実施態様は、接続部の開口と付加的な圧力チャンバとの間に、固定式のハイドロリック式の抵抗エレメントが接続されていることによって特徴付けられている。この固定式のハイドロリック式の抵抗エレメントは、たとえば、不変のオリフィス絞り横断面を備えたオリフィス絞りとして形成されている。
【００３８】
ハイドロリックシステムの別の有利な実施態様は、接続部の開口と付加的な圧力チャンバとの間に、調節可能な別のハイドロリック式の抵抗エレメントが接続されていることによって特徴付けられている。有利には、この調節可能な別のハイドロリック式の抵抗エレメントも円錐形ディスク式巻掛け伝動装置の変速比によって制御される。
【００３９】
ハイドロリックシステムの別の有利な実施態様は、減圧弁が、付加的な圧力チャンバと放圧室との間に接続されていることによって特徴付けられている。減圧弁は、有利には圧力変換部を備えており、これによって、付加的な圧力チャンバ内に、トルクフィーラチャンバ内の圧力に比例した圧力が形成される。
【００４０】
ハイドロリックシステムの別の有利な実施態様は、トルクフィーラチャンバ内の圧力が、圧着チャンバ内の圧力の最大の設定量に相当しており、付加的な圧力チャンバ内の圧力が、圧着チャンバ内の圧力の最小の設定量に相当していることによって特徴付けられている。これによって、圧着圧が抵抗エレメントの誤差に対して少なく感応性となることが達成される。
【００４１】
ハイドロリックシステムの別の有利な実施態様は、調節可能なハイドロリック式の抵抗エレメントもしくは調節可能なハイドロリック式の抵抗エレメントが、方向制御弁の少なくとも１つの制御縁部を有していることによって特徴付けられている。方向制御弁は、たとえば５ポート２位置弁として形成されていて、第２のハイドロリック式の抵抗エレメントと放圧室との間に接続されていてよい。方向制御弁の制御は、有利には、両抵抗エレメントの前後の圧力によって行われる。
【００４２】
ハイドロリックシステムの別の有利な実施態様は、方向制御弁が、制御圧管路を介して比例弁によって制御されており、該比例弁が、さらに有利には、変速比に関連して制御されていることによって特徴付けられている。比例弁の制御は、有利には、制御電流線路を介して、変速比に関連した電気的な制御信号によって行われる。
【００４３】
ハイドロリックシステムの別の有利な実施態様は、方向制御弁が、機械的な変換部によって変速比に関連して制御されていることによって特徴付けられている。この制御は、たとえばてこ装置を介して、一方の軸方向可動の円錐形ディスクの軸方向移動によって直接的に行われる。
【００４４】
ハイドロリックシステムの別の有利な実施態様は、１つのハイドロリック式の抵抗エレメントが、トルクフィーラチャンバと付加的な圧力チャンバとの間に接続されていることによって特徴付けられている。この付加的な圧力チャンバは、たとえばハイドロリック媒体を備えたタンクである。
【００４５】
ハイドロリックシステムの別の有利な実施態様は、１つのハイドロリック式の抵抗エレメントが、トルクフィーラチャンバと、別のトルクフィーラチャンバもしくは圧着チャンバとの間に接続されていることによって特徴付けられている。両トルクフィーラチャンバはハイドロリック式の抵抗エレメントを介して互いに接続されている。有利には、別のトルクフィーラチャンバが、圧着チャンバに直接接続されている。これに対して、前者のトルクフィーラチャンバは、１つの抵抗エレメントを介して圧着チャンバと別のトルクフィーラチャンバとに接続されている。
【００４６】
ハイドロリックシステムの別の有利な実施態様は、１つのハイドロリック式の抵抗エレメントが、固定式のオリフィス絞りを有しており、該オリフィス絞りが、一方の軸方向固定の円錐形ディスクに組み込まれていることによって特徴付けられている。固定式のオリフィス絞りは、有利には、軸方向固定の円錐形ディスクに設けられた孔として形成されている。
【００４７】
ハイドロリックシステムの別の有利な実施態様は、１つのハイドロリック式の抵抗エレメントが、可変式のオリフィス絞りを有しており、該オリフィス絞りが、一方の軸方向固定の円錐形ディスクに組み込まれていることによって特徴付けられている。可変式のオリフィス絞りは、有利には、軸方向固定の円錐形ディスクに設けられた孔を有している。
【００４８】
ハイドロリックシステムの別の有利な実施態様は、可変式のオリフィス絞りが、切欠きを有しており、該切欠きが、一方の軸方向固定の円錐形ディスクに設けられており、縦断面図で見て、オリフィス絞り横断面が、所属の円錐形ディスクの軸方向の移動に関連して変化するような勾配を切欠きが有していることによって特徴付けられている。この切欠きへの特殊な形状付与によって、所望のオリフィス絞り横断面を可動ディスクに関連して調整することができる。
【００４９】
ハイドロリックシステムの別の有利な実施態様は、１つのハイドロリック式の抵抗エレメントが、半径方向に往復運動可能なピストンを備えた可変式のオリフィス絞りを有していることによって特徴付けられている。ピストンは、有利にはスリーブによって、軸方向固定の円錐形ディスクに設けられた特に半径方向の孔内に往復運動可能に収容されている。
【００５０】
ハイドロリックシステムの別の有利な実施態様は、ピストンの一方の端部が、斜め面取り部を有しており、該斜め面取り部が、所属の軸方向可動の円錐形ディスクに設けられた斜め面取り部と協働するようになっていることによって特徴付けられている。所属の軸方向可動の円錐形ディスクの可動ディスク運動は、両斜め面取り部の協働によってピストンの半径方向の運動に変換される。
【００５１】
ハイドロリックシステムの別の有利な実施態様は、ピストンが、制御切欠きを有しており、オリフィス絞り横断面が、所属の円錐形ディスクの軸方向の移動に関連して変化するような勾配を制御切欠きが有していることによって特徴付けられている。この切欠きへの特殊な形状付与によって、所望のオリフィス絞り横断面を可動ディスクに関連して調整することができる。
【００５２】
ハイドロリックシステムの別の有利な実施態様は、ハイドロリック式の抵抗エレメントが、チョーク絞り、オリフィス絞りまたは制御縁部として形成されていることによって特徴付けられている。この場合、ハイドロリック式の両抵抗エレメントは、チョーク絞り、オリフィス絞りまたは制御縁部として形成されていてよい。しかし、一方の抵抗エレメントがチョーク絞りとして形成されており、他方の抵抗エレメントがオリフィス絞りまたは制御縁部として形成されていることも可能である。
【００５３】
ハイドロリックシステムの別の有利な実施態様は、付加的な圧力チャンバが、放圧室に接続されていることによって特徴付けられている。この放圧室は、たとえばハイドロリック媒体タンクまたは自動車のオイルサンプであってよい。
【００５４】
ハイドロリックシステムの別の有利な実施態様は、トルクフィーラが、カム機構を有していて、圧力制限弁の原理により、トルクフィーラチャンバ内に、トルクに比例した圧力を形成するようになっていることによって特徴付けられている。有利には、トルクフィーラが、全周にわたって分配された転動体、たとえばボールを有している。この転動体は転動面もしくは支持面または傾斜路と協働し、これによって、トルクおよび／または変速比に関連した緊締力もしくは圧着力が形成される。
【００５５】
ハイドロリックシステムの別の有利な実施態様は、カム機構が、トルクに比例した圧力を形成するために、変速比に依存しないコンスタントな勾配を備えた傾斜路を有していることによって特徴付けられている。このような形式のカム機構は、たとえばドイツ連邦共和国特許出願公開第４２３４２９４号明細書、特に図１および所属の図面の説明に開示されている。
【００５６】
本発明の更なる利点、特徴および詳細は、図面に相俟って種々異なる実施例を詳しく説明した以下の説明から明らかである。
【発明を実施するための最良の形態】
【００５７】
以下に、本発明を実施するための最良の形態を図面につき詳しく説明する。
【００５８】
図１〜図６には、本発明の種々異なる実施例による、それぞれ１つの無段調整可能な円錐形ディスク式巻掛け伝動装置が示してある。このような形式の円錐形ディスク式巻掛け伝動装置はＣＶＴ伝動装置（ＣＶＴ＝Ｃｏｎｔｉｎｕｏｕｓｌｙ  Ｖａｒｉａｂｌｅ  Ｔｒａｎｓｍｉｓｓｉｏｎ）とも呼ばれ、２つの円錐形ディスク対１，２を有している。両円錐形ディスク対１，２は、軸方向固定のそれぞれ１つの円錐形ディスク３，５と、軸方向可動のそれぞれ１つの円錐形ディスク４，６とを有している。両円錐形ディスク対１，２は巻掛け手段８、特にチェーンによって互いに連結されている。円錐形ディスク式巻掛け伝動装置には、トルクフィーラ１０が組み込まれている。このような形式の円錐形ディスク式巻掛け伝動装置は、たとえばドイツ連邦共和国特許出願公開第４２３４２９４号明細書に基づき公知である。
【００５９】
本発明は、軸方向可動の円錐形ディスク４，６をモーメントおよび変速比に関連して軸方向圧着するためのハイドロリックシステムに関する。円錐形ディスク対１は、伝動装置の入力軸１１に相対回動不能に結合されている。円錐形ディスク対２は、伝動装置の出力軸１２に相対回動不能に結合されている。トルクフィーラ１０はトルクフィーラチャンバ１４を有している。このトルクフィーラチャンバ１４は制御縁部を介してハイドロリック媒体のためのタンク１５に放圧可能である。
【００６０】
トルクフィーラチャンバ１４には、ポンプ１８を介してハイドロリック媒体が供給される。このハイドロリック媒体はハイドロリック管路２０を介してタンク１５から吸い込まれ、ポンプ１８において圧力で負荷される。このポンプ１８の出口は、ハイドロリック管路２１，２２を介してトルクフィーラチャンバ１４に接続されている。さらに、ポンプ１８の出口は、ハイドロリック管路２１と、別のハイドロリック管路２３，２４，２５とを介してタンク１５に接続されている。両ハイドロリック管路２４，２５の間の接続部には、１つの点によって付加的な圧力チャンバ２６が示してある。この圧力チャンバ２６内には、実際、タンク１５内の圧力と同じ圧力、有利には周辺圧が形成されている。
【００６１】
ハイドロリック管路２４には、２つのハイドロリック式の抵抗エレメント２８，２９の間に分岐部２７が配置されている。この分岐部２７から、２つの圧着チャンバ３１，３２に対する接続管路３４が延びている。圧着チャンバ３１，３２は、軸方向可動のそれぞれ１つの円錐形ディスク４，６に対応配置されている。
【００６２】
本発明の基本思想は、変速比に依存しないコンスタントな勾配を備えたトルクフィーラ１０を使用し、これによって、トルクに比例した圧力を形成することにある。さらに、トルクフィーラチャンバ１４と、意図的に低い圧力、特にタンク圧を備えた付加的な圧力チャンバ２６との間の体積流が、圧着チャンバ３１，３２によって抵抗エレメント２８，２９を用いて調整される。
【００６３】
二重矢印３５によって、軸方向可動の円錐形ディスク６の運動量が示してある。本発明の主要な態様によれば、制御線路３６によって示したように、抵抗エレメント２８が運動量もしくは変速比３５によって制御され、これによって、トルクフィーラチャンバ１４と付加的な圧力チャンバ２６との間の全圧力減少が所望の比に分割され、これによって、相応の圧力が圧着チャンバ３１，３２内に形成される。
【００６４】
本発明の枠内では、モーメントフィーラ圧と付加的な圧力チャンバ２６内の圧力とが、圧着圧の最大の設定量と最小の設定量とに相当していると特に有利であると分かった。これによって、圧着圧が抵抗エレメント２８，２９の誤差に対して少なく感応性であることが達成される。
【００６５】
図２に示した実施例には、図１に示した固定式の抵抗エレメント２９の代わりに、可変式の抵抗エレメント３９が使用されてもよいことが示してある。この抵抗エレメント３９は制御線路３６を介して同じく変速比３５によって制御される。ハイドロリック式の抵抗エレメント２８，２９，３９は、チョーク絞り、オリフィス絞りまたは方向制御弁の制御縁部として形成されていてよい。少なくとも１つの抵抗エレメントが変速比によって制御されることが重要となる。
【００６６】
図３では、付加的な圧力チャンバ２６内の意図的に低い圧力が、付加的な減圧弁４１を用いて、モーメントフィーラ圧に比例した相応の圧力変換によって形成される。減圧弁４１は、タンク１５と付加的な圧力チャンバ２６との間のハイドロリック管路２５に配置されている。ハイドロリック管路４２，４３を介して、減圧弁４１は２つの接続箇所でハイドロリック管路２２，２３を介してモーメントフィーラ圧で負荷されている。別のハイドロリック管路４４，４５を介して、減圧弁４１はハイドロリック管路２５に接続されていて、したがって、付加的な圧力チャンバ２６の圧力で負荷される。減圧弁４１の圧力変換によって、付加的な圧力チャンバ２６内に、トルクフィーラチャンバ１４内のモーメントフィーラ圧に比例した圧力が形成される。ハイドロリック管路４６を介して、減圧弁４１はタンク１５に接続されている。
【００６７】
図４には、可変式の抵抗エレメント（図２および図３に示した符号２８，３９参照）が方向制御弁５０の制御縁部によって実現されてもよいことが示してある。この方向制御弁５０には、ハイドロリック管路２４が接続されている。このハイドロリック管路２４を介して、方向制御弁５０が、トルクフィーラチャンバ１４内に形成されたモーメントフィーラ圧で負荷される。さらに、方向制御弁５０には、ハイドロリック管路４５が接続されている。このハイドロリック管路４５を介して、方向制御弁５０が、減圧弁４１を介在してタンク１５に接続されている。
【００６８】
方向制御弁５０は弁ピストンを有している。この弁ピストンの一方の端部はばね力で負荷されている。弁ピストンの他方の端部はハイドロリック管路４９を介して圧力供給源５３の圧力で負荷可能となる。ハイドロリック管路４９内には、２つのハイドロリック式の抵抗エレメント５１，５２、有利にはオリフィス絞りが配置されている。両抵抗エレメント５１，５２の間には、制御管路とも呼ばれる別のハイドロリック管路５５によって、比例弁５６が接続されている。この比例弁５６は制御線路５９を介して変速比３５に関連して電気的に制御される。
【００６９】
図５には、方向制御弁５０がてこ装置６０を介して、軸方向可動の円錐形ディスク６の軸方向の運動によって機械的に制御されてもよいことが示してある。てこ装置６０によって、ディスクストロークと方向制御弁５０の弁ストロークとの間の変速を簡単に実現することができる。このことは、てこ装置６０のてこと、弾性差とによって置き換えることができる。
【００７０】
図６には、別の実施例につき、圧着チャンバ３１，３２と両抵抗エレメント２８，２９との間に圧力制限弁６５が接続されることによって、モーメントフィーラ圧をどのように減少させることができるのかが示してある。圧力制限弁６５は管路を介してタンク１５に接続されている。別の管路６６を介して、圧力制限弁６５は２つの接続箇所で別のポンプ６８の出口に接続されている。このポンプ６８はハイドロリック媒体をタンク１５から吸い込む。別の接続管路６９を介して、圧力制限弁６５は別の接続箇所で圧着チャンバ３１，３２に接続されている。
【００７１】
圧力制限弁６５は弁ピストンを有している。この弁ピストンは一方の端部で管路７０を介して、ハイドロリック式の両抵抗エレメント２８，２９の間に形成された圧力で負荷されている。弁ピストンにおける適切な面変換と、付加的なポンプ６８とによって、圧力制限弁６５が所望の圧着圧を圧着チャンバ３１，３２内に提供する。図６に示した実施例は、特に制御および漏れに対するシステム圧を減少させることができるという利点を提供する。
【００７２】
図７および図８には、円錐形ディスク式巻掛け伝動装置のハイドロリックシステムが示してある。このハイドロリックシステムによって、円錐形ディスク式巻掛け伝動装置の変速比関係に相俟って可変の圧着システムが可能となる。この圧着システムは、コストに関して、既知の２段式のハイドロリックシステムに近似している。２段式のモーメントフィーラから出発して、コンスタントなオリフィス絞りと、可変式のオリフィス絞りとの適切な挿入によって、可変のモーメントフィーラに対する圧着の適合が行われる。
【００７３】
図７および図８に簡単に示した円錐形ディスク式巻掛け伝動装置は、入力側の円錐形ディスク対と、出力軸に相対回動不能に配置された出力側の円錐形ディスク対とを有している。軸方向可動の円錐形ディスクの圧着チャンバは、図７および図８に簡単にトルクフィーラピストン８８によって示してある。圧着チャンバ８１はハイドロリック管路８２と別のハイドロリック管路８３とを介してポンプ８４の出口に接続されている。このポンプ８４はハイドロリック媒体をタンク９６から吸い込む。
【００７４】
圧着チャンバ８１はハイドロリック管路８２を介してトルクフィーラ８５に接続されている。矢印８６によって、伝達したいモーメントによって生ぜしめられた軸方向力が示してある。この軸方向力はトルクフィーラ８５のモーメントフィーラピストン８８に作用する。このモーメントフィーラピストン８８は、モーメントフィーラチャンバ９１内で、別のモーメントフィーラチャンバ９２内の圧力と異なる圧力で負荷されている。このモーメントフィーラチャンバ９２はハイドロリック管路８２を介して圧着チャンバ８１に接続されていて、ハイドロリック管路８３を介してポンプ８４の出口に接続されている。概略的にしか示していない制御縁部９４を介して、ハイドロリック媒体はモーメントフィーラチャンバ９２からハイドロリック管路９５を通してタンク９６内に逃出することができる。
【００７５】
モーメントフィーラチャンバ９１は接続管路９８を介して接続管路９９に接続されている。この接続管路９９はハイドロリック管路８２からタンク９６に延びている。接続管路９９内には、２つのハイドロリック式の抵抗エレメント１０１，１０２が設けられている。両抵抗エレメント１０１，１０２の間では、接続管路９８が接続管路９９に開口している。ハイドロリック式の抵抗エレメント１０１は、固定式のオリフィス絞りである。このオリフィス絞りは、接続管路９９への接続管路９８の開口と、ハイドロリック管路８２への接続管路９９の開口との間に配置されている。ハイドロリック式の抵抗エレメント１０２は、可変式のオリフィス絞りである。このオリフィス絞りは、接続管路９９への接続管路９８の開口箇所と、タンク９６との間に配置されている。
【００７６】
図７および図８に示したハイドロリックシステムの基本思想はダブルピストン原理に基づいている。この場合、ポンプ８４が、モーメントフィーラチャンバ９２の制御縁部９４を介して流出する体積流を供給する。この場合、モーメントフィーラピストンとも呼ばれるトルクフィーラピストン８８が軸方向の位置をとる。この位置では、制御縁部９４を介した圧力減少が大きくなり、これによって、トルクにより形成されたかもしくはトルクに比例した機械的な力と、ハイドロリック的な力との間にバランスが生ぜしめられる。トルクフィーラチャンバ９２内の圧力は、ハイドロリック管路８２を介して圧着チャンバ８１にもしくは圧着面に伝達され、したがって、円錐形ディスク式巻掛け伝動装置の巻掛け手段、特にチェーンに対する圧着力を規定する。
【００７７】
しかし、トルクフィーラチャンバ９２内への圧力の形成によって、第２のモーメントフィーラチャンバとも呼ばれるトルクフィーラチャンバ９１への固定オリフィス絞り１０１を介した体積流が同時に生ぜしめられる。可変式のオリフィス絞り１０２のサイズの適切な調節によって、トルクフィーラチャンバ９１内に圧力を形成することができる。トルクフィーラチャンバ９１内のこの圧力は、機械・ハイドロリック的な力バランスに基づき、第１のトルクフィーラチャンバとも呼ばれるトルクフィーラチャンバ９２内の圧力の減少を生ぜしめる。このトルクフィーラチャンバ９２の圧力の減少は、さらに、圧着チャンバ８１内の圧力の減少ひいてはディスクセットに対する圧着の減少を生ぜしめる。
【００７８】
最低の比例定数は、図７に示した実施例の場合、トルクフィーラチャンバ９２内の圧力を介して生ぜしめられる。この場合、可変式のオリフィス絞り１０２は完全に開放されている。トルクフィーラチャンバ９２内の圧力、すなわち、圧着圧は、モーメントフィーラピストン８８に対する軸方向力８６と、モーメントフィーラピストン８８の、トルクフィーラチャンバ９２を仕切る面との商から規定される。この場合、固定式のオリフィス絞り１０１を通って、体積流がタンク９６の方向に流れる。可変式のオリフィス絞り１０２における圧力減少はゼロであり、第２のトルクフィーラチャンバ９１を介したトルクフィーラチャンバ９２内のモーメントフィーラピストン力に対する反力も同じくゼロである。
【００７９】
変速比に関連して比例定数の変化を発生させるためには、変速比の調節時に、可変式のオリフィス絞り１０２がそのサイズにおいて変化させられる。可動ディスク位置をほぼ負荷に依存せずに所定の変速比に換算することができるので、可動ディスク位置が、可変式のオリフィス絞り１０２の変更のために簡単に使用される。そこでは、この可変式のオリフィス絞り１０２のより小さな直径が圧力減少を生ぜしめ、この場合、トルクフィーラチャンバ９１内の圧力が、このトルクフィーラチャンバ９１の面に相俟って、ピストン力に対する付加的な反力として作用する。この場合、圧着チャンバ８１内で作用する、トルクフィーラチャンバ９２内に形成されたディスクセット圧が、相応に減少させられ得る。全体的に、可変式のオリフィス絞り１０２の、調整されたサイズに応じて、相応の比例定数が生ぜしめられる。トルクフィーラチャンバ９１の面は、可変式のオリフィス絞り１０２の閉鎖時に、調整したい最大の比例定数が生ぜしめられるように設計されている。
【００８０】
トルクフィーラチャンバ９２内の圧力によるトルクの商から得られる比例定数は、可変式のオリフィス絞り１０２の通流横断面によってしか変化させられない。この横断面のサイズは、本発明の別の態様によれば、可動ディスク位置、すなわち、軸方向可動の円錐形ディスクの位置に関連して形成され、これによって、変速比に関連した比例定数が得られる。
【００８１】
図８には、オリフィス絞りの配置事例が入れ換えられてもよいことが示してある。図８に示した実施例では、固定式のオリフィス絞り１０５がタンク９６と接続管路９８との間に接続されている。可変式のオリフィス絞り１０６は接続管路９８とハイドロリック管路８２との間に接続されている。この実施例では、可変式のオリフィス絞り１０６が最小の比例定数に対して閉鎖され、最大の定数に対して完全に開放される。
【００８２】
図９には、軸方向固定の円錐形ディスク１２１が縦断面図で示してある。この円錐形ディスク１２１は、軸方向可動の円錐形ディスク１２２と協働し、円錐形ディスク対を形成している。軸方向固定の円錐形ディスク１２１は軸と一体に結合されている。この軸には、軸方向可動の円錐形ディスク１２２がガイドされている。この軸方向可動の円錐形ディスク１２２の、軸方向固定の円錐形ディスク１２１と反対の側には、トルクフィーラピストン１２８を備えたトルクフィーラ１２５が配置されている。トルクフィーラピストン１２８は、モーメントフィーラチャンバ１３１と、別のモーメントフィーラチャンバ１３２とを仕切っている。このモーメントフィーラチャンバ１３２は、軸方向固定の円錐形ディスク１２１の軸に設けられた制御縁部１３４と、横方向孔と、この横方向孔に接続された長手方向孔１３５とを介して放圧室（図示せず）に放圧可能である。制御縁部１３４はトルクフィーラピストン１２８と協働する。
【００８３】
トルクフィーラチャンバ１３２は、固定式のオリフィス絞り１４１を介して長手方向孔１４０に接続されている。この長手方向孔１４０は、さらに、横方向孔１４３を介してトルクフィーラチャンバ１３１に接続されている。長手方向孔１４０ひいてはトルクフィーラチャンバ１３１は、可変式のオリフィス絞り１４２を介して放圧室、たとえばオイルサンプに接続されている。可変式のオリフィス絞り１４２は、縦断面図で見て、切欠き１４４を有している。この切欠き１４４は、軸方向可動の円錐形ディスク１２２と協働し、これによって、この軸方向可動の円錐形ディスク１２２の軸方向の位置に関連して、それぞれ異なるオリフィス絞り横断面が開放される。軸方向固定の円錐形ディスク１２１もしくは軸方向固定の円錐形ディスク１２１に一体に結合された軸に設けられた切欠き１４４への特殊な形状付与によって、可動ディスクに関連して所望のオリフィス絞り横断面を調整することが可能となる。
【００８４】
図１０には、図９に類似の実施例が縦断面図で示してある。同じ部材を示すために、同じ符号が使用してある。繰返しを避けるために、図９の前述した説明を参照する。以下には、主として、両実施例の間の違いを説明する。
【００８５】
図１０に示した実施例は、トルクフィーラチャンバ１３１とトルクフィーラチャンバ１３２との間に、貫通孔の形の固定式のオリフィス絞り１５１が設けられている。このオリフィス絞り１５１は、フランジ状の構成部材１５０を貫いて延びている。このフランジ状の構成部材１５０は、軸方向固定の円錐形ディスク１２１もしくは軸方向固定の円錐形ディスク１２１に一体に結合された軸に取り付けられている。長手方向孔１４０は、可変式のオリフィス絞り１５２を介して放圧室に接続されている。この放圧室は別の長手方向孔１５８によって示してある。この長手方向孔１５８は長手方向孔１４０に対して平行に延びている。
【００８６】
可変式のオリフィス絞り１５２はピストン１５３を有している。このピストン１５２は一方の端部に斜面１４９を有している。この斜面１４９は別の斜面１５４と協働する。この斜面１５４は、軸方向可動の円錐形ディスク１２２に半径方向内側で設けられている。互いに接触する斜面１４９，１５４によって、可動ディスクとも呼ばれる軸方向可動の円錐形ディスク１２２の可動ディスク運動が、ピストン１５３の半径方向の運動に変換される。ピストン１５３はスリーブ１５５内に往復運動可能にガイドされている。このスリーブ１５５は長手方向孔１４０，１５８の領域に貫通孔を有している。さらに、ピストン１５２には、切断平面に対して垂直に配置された制御切欠き１５６が設けられている。この制御切欠き１５６は、スリーブ１５５に設けられた貫通孔に相俟って、必要となるオリフィス絞り横断面を形成している。
【図面の簡単な説明】
【００８７】
【図１】固定式の抵抗エレメントと可変式の抵抗エレメントとを備えた円錐形ディスク式巻掛け伝動装置の概略図である。
【図２】調節可能なもしくは可変式の２つの抵抗エレメントを備えた、図１に類似の円錐形ディスク式巻掛け伝動装置を示す図である。
【図３】付加的な減圧弁を備えた、図２に類似の円錐形ディスク式巻掛け伝動装置を示す図である。
【図４】方向制御弁と比例弁とを備えた、図３に類似の円錐形ディスク式巻掛け伝動装置を示す図である。
【図５】てこ装置を介して変速比に関連して制御されている方向制御弁を備えた、図４に類似の円錐形ディスク式巻掛け伝動装置を示す図である。
【図６】圧力制限弁と付加的なポンプとを備えた、図１および図４に類似の円錐形ディスク式巻掛け伝動装置を示す図である。
【図７】固定オリフィス絞りと可変式のオリフィス絞りとを備えた可変のモーメントフィーラを有する円錐形ディスク式巻掛け伝動装置を著しく簡単に示す図である。
【図８】固定オリフィス絞りと可変式のオリフィス絞りとの入れ換えられた配置事例を備えた、図７に類似の円錐形ディスク式巻掛け伝動装置を示す図である。
【図９】切欠きとして固定ディスクに形成された可変式のオリフィス絞りを備えた円錐形ディスク式巻掛け伝動装置の一部の縦断面図である。
【図１０】可動ディスク運動を変換するための斜面を備えた、図９に類似の部分を示す図である。
【符号の説明】
【００８８】
１  円錐形ディスク対、  ２  円錐形ディスク対、  ３  円錐形ディスク、  ４  円錐形ディスク、  ５  円錐形ディスク、  ６  円錐形ディスク、  ８  巻掛け手段、  １０  トルクフィーラ、  １１  入力軸、  １２  出力軸、  １４  トルクフィーラチャンバ、  １５  タンク、  １８  ポンプ、  ２０  ハイドロリック管路、  ２１  ハイドロリック管路、  ２２  ハイドロリック管路、  ２３  ハイドロリック管路、  ２４  ハイドロリック管路、  ２５  ハイドロリック管路、  ２６  圧力チャンバ、  ２７  分岐部、  ２８  抵抗エレメント、  ２９  抵抗エレメント、  ３１  圧着チャンバ、  ３２  圧着チャンバ、  ３４  接続管路、  ３５  二重矢印、  ３６  制御線路、  ３９  抵抗エレメント、  ４１  減圧弁、  ４２  ハイドロリック管路、  ４３  ハイドロリック管路、  ４４  ハイドロリック管路、  ４５  ハイドロリック管路、  ４６  ハイドロリック管路、  ４９  ハイドロリック管路、  ５０  方向制御弁、  ５１  オリフィス絞り、  ５２  オリフィス絞り、  ５３  圧力供給源、  ５５  ハイドロリック管路、  ５６  比例弁、  ５９  制御線路、  ６０  てこ装置、  ６５  圧力制限弁、  ６６  管路、  ６８  ポンプ、  ６９  接続管路、  ７０  管路、  ８１  圧着チャンバ、  ８２  ハイドロリック管路、  ８３  ハイドロリック管路、  ８４  ポンプ、  ８５  トルクフィーラ、  ８６  軸方向力、  ８８  トルクフィーラピストン、  ９１  モーメントフィーラチャンバ、  ９２  モーメントフィーラチャンバ、  ９４  制御縁部、  ９５  ハイドロリック管路、  ９６  タンク、  ９８  接続管路、  ９９  接続管路、  １０１  オリフィス絞り、  １０２  オリフィス絞り、  １０５  オリフィス絞り、  １０６  オリフィス絞り、  １２１  円錐形ディスク、  １２２  円錐形ディスク、  １２５  トルクフィーラ、  １２８  トルクフィーラピストン、  １３１  モーメントフィーラチャンバ、  １３２  モーメントフィーラチャンバ、  １３４  制御縁部、  １３５  長手方向孔、  １４０  長手方向孔、  １４１  オリフィス絞り、  １４２  オリフィス絞り、  １４３  横方向孔、  １４４  切欠き、  １４９  斜面、  １５０  構成部材、  １５１  オリフィス絞り、  １５２  オリフィス絞り、  １５３  ピストン、  １５４  斜面、  １５５  スリーブ、  １５６  制御切欠き、  １５８  長手方向孔
【図１】
0005610686.tif 000002
【図２】
0005610686.tif 000003
【図３】
0005610686.tif 000004
【図４】
0005610686.tif 000005
【図５】
0005610686.tif 000006
【図６】
0005610686.tif 000007
【図７】
0005610686.tif 000008
【図８】
0005610686.tif 000009
【図９】
0005610686.tif 000010
【図１０】
0005610686.tif 000011